(57)【要約】    【課題】  接続型サーバがインターネットに接続していない場合、または、接続型サーバがインターネットに接続する毎にアドレスが変更する場合でも、クライアント装置から接続型サーバにインターネット経由で接続できるサーバシステムを提供する。    【解決手段】  中継サーバ１０３は、ホスト名が指定されたＩＰアドレス取得要求をクライアントＰＣ１０６から受信した場合、指定されたホスト名のモバイルサーバ１０１がインターネット１０７と接続しているか否かを判定し、モバイルサーバ１０１がインターネット１０７と接続していない場合、指定されたホスト名に対応する電話番号への発信要求を電話網接続装置１０５へ送信する。電話網接続装置１０５は、公衆電話網１０８を介して発信が要求された電話番号への発信を行い、モバイルサーバ１０１は、公衆電話網１０８からの着信があると、インターネット１０７との接続を行う。【選択図】      図１
2006014188.tif 000002
【特許請求の範囲】
【請求項１】
インターネットと接続され、ＤＮＳ機能を有する中継サーバと、前記中継サーバを電話網と接続するための電話網接続装置とを備えるサーバシステムであって、
前記中継サーバは、電話網を介してインターネットと接続される接続型サーバのホスト名が指定されたＩＰアドレス取得要求をインターネット上の機器から受信した場合、該指定されたホスト名の接続型サーバがインターネットと接続しているか否かを判定し、前記接続型サーバがインターネットと接続していないと判定された場合、前記指定されたホスト名に対応する電話番号への発信要求を前記電話網接続装置へ送信し、
前記電話網接続装置は、前記中継サーバからの発信要求を受信すると、電話網を介して、前記発信要求により発信が要求された電話番号への発信を行い、
前記接続型サーバは、電話網からの着信があると、インターネットとの接続を行うことを特徴とするサーバシステム。
【請求項２】
前記接続型サーバは、インターネットとの接続の有無を前記中継サーバに通知する機能を有し、
前記中継サーバは、前記接続型サーバから通知されたインターネットとの接続の有無に基づいて前記接続型サーバがインターネットと接続しているか否かを判定することを特徴とする請求項１記載のサーバシステム。
【請求項３】
前記中継サーバは、前記接続型サーバに対して応答の要求を行い、該応答の要求から一定時間以内に前記接続型サーバから応答が返された場合、前記接続型サーバがインターネットと接続中であると判定し、一定時間以内に前記接続型サーバから応答が返されない場合、前記接続型サーバがインターネットと接続していないと判定することを特徴とする請求項１記載のサーバシステム。
【請求項４】
電話網からインターネットへの接続を中継するためのインターネットアクセスポイントを備え、
前記接続型サーバは、前記インターネットアクセスポイントを介してインターネット接続を行い、
前記中継サーバは、前記インターネットアクセスポイントに対して前記接続型サーバがインターネットと接続しているか否かの問い合わせを行い、該問い合わせに対する前記インターネットアクセスポイントからの返答に基づいて前記接続型サーバがインターネットと接続しているか否かの判定を行うことを特徴とする請求項１記載のサーバシステム。
【請求項５】
電話網からインターネットへの接続を中継するためのインターネットアクセスポイントを備え、
前記接続型サーバは、前記インターネットアクセスポイントを介してインターネット接続を行い、
前記インターネットアクセスポイントは、前記接続型サーバのインターネットとの接続の有無を前記中継サーバに通知する機能を有し、
前記中継サーバは、前記インターネットアクセスポイントから通知された前記接続型サーバのインターネットとの接続の有無に基づいて前記接続型サーバがインターネットと接続しているか否かを判定することを特徴とする請求項１記載のサーバシステム。
【請求項６】
前記接続型サーバは、前記電話網接続装置を介してインターネット接続を行い、
前記中継サーバは、前記電話網接続装置に対して前記接続型サーバがインターネットと接続しているか否かの問い合わせを行い、該問い合わせに対する前記電話網接続装置からの返答に基づいて前記接続型サーバがインターネットと接続しているか否かの判定を行うことを特徴とする請求項１記載のサーバシステム。
【請求項７】
前記接続型サーバは、前記電話網接続装置を介してインターネット接続を行い、
前記電話網接続装置は、前記接続型サーバのインターネットとの接続の有無を前記中継サーバに通知する機能を有し、
前記中継サーバは、前記電話網接続装置から通知された前記接続型サーバのインターネットとの接続の有無に基づいて前記接続型サーバがインターネットと接続しているか否かを判定することを特徴とする請求項１記載のサーバシステム。
【請求項８】
前記電話網接続装置は、電話網と接続している機器に対してＩＰアドレスを付与する機能を有し、前記中継サーバからの発信要求を受信すると、前記指定されたホスト名の接続型サーバに付与する予定のＩＰアドレスを前記中継サーバに通知し、前記接続型サーバがインターネットとの接続を行う際に、前記ＩＰアドレスを付与し、
前記中継サーバは、インターネットを介して、前記通知されたＩＰアドレスを前記ＩＰアドレス取得要求元の機器に送信することを特徴とする請求項１記載のサーバシステム。
【請求項９】
前記電話網接続装置は、電話網と接続する機器が着信に対して応答した場合に、該応答をした機器をインターネットと接続する機能を有し、
前記接続型サーバは、電話網を介して前記電話網接続装置から着信があると、前記電話網接続装置に応答し、該電話網接続装置を介してインターネットと接続することを特徴とする請求項１記載のサーバシステム。
【請求項１０】
前記電話網接続装置は、電話網と接続する機器が着信に対して応答した場合に、該応答をした機器をインターネットと接続する機能を有し、
前記接続型サーバは、電話網を介して前記電話網接続装置から着信があると、前記電話網接続装置に対して発信し、該電話網接続装置を介してインターネットと接続することを特徴とする請求項１記載のサーバシステム。
【請求項１１】
ＤＮＳ機能を有するサーバであって、
接続型サーバのＩＰアドレス取得要求を受信した場合、該接続型サーバがインターネットと接続しているか否かを判定し、該接続型サーバがインターネットと接続していないと判定された場合、該接続型サーバをインターネットに接続させるために該接続型サーバに対して電話網経由での発信処理を行うことを特徴とするサーバ。
【請求項１２】
ＤＮＳ機能を有するサーバを制御するプログラムを記憶する記憶媒体であって、
前記サーバが、接続型サーバのＩＰアドレス取得要求を受信した場合に、該接続型サーバがインターネットと接続しているか否かを判定するための判定モジュールと、
該接続型サーバがインターネットと接続していないと判定された場合に、該接続型サーバをインターネットに接続させるために該接続型サーバに対して電話網経由での発信処理を行うための発信モジュールと、を有することを特徴とするサーバ。
【発明の詳細な説明】
【技術分野】
【０００１】
本発明は、ＤＮＳ機能を有するサーバ、該サーバを有するサーバシステムおよび記憶媒体に関する。
【背景技術】
【０００２】
インターネット上の装置がインターネットを介して他の装置にアクセスする場合には、基本的にＩＰアドレスが用いられる。例えば、クライアントＰＣ（パーソナルコンピュータ）がＷｅｂを閲覧する場合は、クライアントＰＣにおいて、Ｗｅｂを公開しているサーバのＩＰアドレスが指定される。しかしながら、ＩＰアドレスは、例えば「172.123.456.789」のように数字列で表記されるので、通常は、ＩＰアドレスに代えて、文字列であるホスト名を指定してインターネット上の装置へアクセスすることが多い。これは、ＩＰアドレスよりホスト名の方が覚え易く、Ｗｅｂの特徴がアドレスに反映されていて分かり易いという利点があるからである。ここで、ＩＰアドレスに代えてホスト名を指定する場合、指定されたホスト名に対応するＩＰアドレスを取得する必要があり、このＩＰアドレスの取得には、ＤＮＳ（Domain Name System）が用いられる。
【０００３】
次に、クライアントＰＣがホスト名「www.abcdefg.co.jp」からＩＰアドレスを取得する場合について図２８を参照しながら説明する。図２８はクライアントＰＣがホスト名「www.abcdefg.co.jp」からＩＰアドレスを取得する場合のシーケンスを示す図である。
【０００４】
図２８に示すように、クライアントＰＣ１０６が「www.abcdefg.co.jp」のＩＰアドレスを得ようとする場合、クライアントＰＣ１０６は、予め記憶されているＤＮＳサーバ（フルサービスリゾルバ）７０１のＩＰアドレスを用いて「www.abcdefg.co.jp」のＩＰアドレス再帰検索要求をＤＮＳサーバ７０１に対して行う（ステップＳ２８０１）。クライアントＰＣ１０６から上記ＩＰアドレス再帰検索の要求を受け取ったＤＮＳサーバ７０１は、ルートサーバ７０２から順に再帰検索を行うことによって得られた「www.abcdefg.co.jp」のＩＰアドレスをクライアントＰＣ１０６に対して返答する（ステップＳ２８０２）。
【０００５】
この再帰検索の方法においては、まず、ＤＮＳサーバ７０１が、予め登録されているルートサーバ７０２のＩＰアドレスを用いてjpドメインネームサーバのＩＰアドレス取得要求を行う（ステップＳ７５２）。ルートドメインサーバ７０２は、ＤＮＳサーバ７０１からのjpドメインネームサーバのＩＰアドレス取得要求に応答して、登録されているjpドメインネームサーバのＩＰアドレスをＤＮＳサーバ７０１に対して返す（ステップＳ７５３）。ＤＮＳサーバ７０１は、上記取得したjpドメインネームサーバのＩＰアドレスを用いてco.jpドメインネームサーバのＩＰアドレス取得要求を行う（ステップＳ７５４）。このようにしてＤＮＳサーバ７０１は、階層的なドメインネームサーバのＩＰアドレスを反復的に取得し、最終的には「abcdefg.co.jp」のドメインネームサーバに対して「www.abcdefg.co.jp」のＩＰアドレス取得要求を行い（ステップＳ２８０３）、「www.abcdefg.co.jp」のＩＰアドレスを取得する。このような方法でＤＮＳサーバ７０１を用いることによって、ホスト名からＩＰアドレスを取得することができる。
【０００６】
Ｗｅｂサーバのようなサーバは、通常、固定ＩＰアドレスを有する。これは、サーバが常時アクセスされるものという概念があり、常にインターネットと接続しているので、ＩＰアドレスを固定ＩＰアドレスとしてする方が都合がよいからである。
【０００７】
しかし、近年、個人により自宅にＷｅｂサーバを立ち上げたり、公開期間限定のＷｅｂサーバを立ち上げたり、アウトドアでの映像中継のためにモバイルサーバを立ち上げたりするなど、ＩＰアドレスを必ずしも固定ＩＰアドレスとしない環境で、サーバを運用することが多くなりつつある。
【０００８】
上述した、モバイルサーバを用いてＷｅｂを公開する場合のシステムについて図２９を参照しながら説明する。図２９はモバイルサーバを用いてＷｅｂを公開する場合のシステムの構成例を示す図である。
【０００９】
このようなシステムにおいては、図２９に示すように、モバイルサーバ１０１が、ＰＨＳなどの公衆無線データ通信カード１０２を用いてプロバイダのインターネットアクセスポイント１０９にダイヤルアップ接続を行い、インターネット１０７と接続する。そして、モバイルサーバ１０１がＷｅｂ公開を行う。このとき、モバイルサーバ１０１のＩＰアドレスは、プロバイダより、モバイルサーバ１０１がインターネット１０７に接続する毎に割り当てられる動的ＩＰアドレスである。ここで、従来のＤＮＳサーバにおいては、動的ＩＰアドレスの管理を行うことができないので、クライアントＰＣ１０６がモバイルサーバ１０１にアクセスする場合は、モバイルサーバ１０１の使用者がそれに割り当てられたＩＰアドレスを調べてクライアントＰＣ１０６の使用者に何らかの方法で伝え、クライアントＰＣ１０６の使用者が伝えられたＩＰアドレスをブラウザに入力してアクセスをするという方法が採られていた。このように、ＤＮＳサーバが、動的ＩＰアドレスの管理を行うことができない場合、動的ＩＰアドレスを有するサーバへのアクセスするための操作には、非常に手間が掛かる。
【００１０】
しかしながら、近年、動的ＩＰアドレスの管理を行うことが可能なＤＮＳサーバが登場し、この仕組みはいわゆるダイナミックＤＮＳと呼ばれるものである。ダイナミックＤＮＳを実現する方法としては、ＤＨＣＰサーバとＤＮＳサーバを連動させる方法などがあるが、ダイヤルアップ方式で接続するサーバで広く用いられているものは、図２９に示すような、インターネット１０７上で公開されているダイナミックＤＮＳサーバ２９０１を用いる方法である。ダイナミックＤＮＳサーバ２９０１は、ホスト名とＩＰアドレスの関係を登録しており、ホスト名が登録されているサーバは、インターネット１０７に接続してＩＰアドレスが割り振られる毎にダイナミックＤＮＳサーバ２９０１に対してＩＰアドレスを通知することによって、ダイナミックＤＮＳサーバ２９０１においてホスト名とＩＰアドレスの関係が更新される。これによって、動的ＩＰアドレスを有するサーバに対しても、そのホスト名を用いてアクセスすることが可能になる。
【００１１】
以上の仕組みを用いることによって、図２９に示すシステムにおいては、モバイルサーバ１０１を用いた、以下のような運用が可能となる。
【００１２】
モバイルサーバ１０１の使用者がＷｅｂ公開をする場合、公衆無線データ通信カード１０２を用いてプロバイダのインターネットアクセスポイント１０９とのダイヤルアップ接続が行われ、モバイルサーバ１０１のインターネット１０７との接続が行われる。モバイルサーバ１０１がインターネット１０７と接続されると、プロバイダによってＩＰアドレスが割り振られるので、割り振られたＩＰアドレスはモバイルサーバ１０１からダイナミックＤＮＳサーバ２９０１へ通知される。ダイナミックＤＮＳサーバ２９０１においては、モバイルサーバ１０１より通知されたＩＰアドレスとホスト名の関係が更新される。モバイルサーバ１０１の使用者は、クライアントＰＣ１０６の使用者に対して何らかの方法でモバイルサーバ１０１がＷｅｂ公開をしていることを通知する。そして、クライアントＰＣ１０６の使用者がモバイルサーバ１０１のホスト名をブラウザに入力することによって、クライアントＰＣ１０６は、モバイルサーバ１０１にアクセスすることができる。
【００１３】
また、ダイナミックＤＮＳの応用例として、電話番号から動的ＩＰアドレスを得る方式が提案されている（例えば特許文献１を参照）。この方式を用いる場合、クライアントＰＣ１０６の使用者は、モバイルサーバ１０１の電話番号のみを知っていれば、モバイルサーバ１０１にアクセスすることができる。
【特許文献１】特開２００３−１２４９７０号公報
【発明の開示】
【発明が解決しようとする課題】
【００１４】
しかしながら、従来のシステムにおいて、モバイルサーバ１０１のＷｅｂ公開と、モバイルサーバ１０１のインターネット１０７との接続は、モバイルサーバ１０１の使用者が起動することによって行われるので、以下のような欠点がある。
【００１５】
クライアントＰＣ１０６からモバイルサーバ１０１に対して、ホスト名や電話番号を用いてアクセスすることが可能な場合でも、モバイルサーバ１０１が公開されてインターネット１０７に接続されていなければ、モバイルサーバ１０１へのアクセスを行うことはできない。
【００１６】
また、モバイルサーバ１０１が公開されてインターネット１０７と接続されている場合においても、クライアントＰＣ１０６がモバイルサーバ１０１に対してアクセスしなければ、モバイルサーバ１０１がインターネット１０７に接続している間の消費電流、通話料金、無線チャネルなどのリソースが無駄になる。特に、モバイルサーバ１０１は、バッテリで動作している場合が多く、公衆無線通信データカード１０２の通信中は、待受時よりバッテリを多く消費するので、動作時間を保証するという点で、これは重要な問題である。
【００１７】
本発明は、接続型サーバがインターネットに接続していない場合、または、接続型サーバがインターネットに接続する毎にアドレスが変更する場合でも、クライアント装置から接続型サーバにインターネット経由で接続できるようにすることを目的とする。
【課題を解決するための手段】
【００１８】
本発明は、上記目的を達成するため、インターネットと接続され、ＤＮＳ機能を有する中継サーバと、前記中継サーバを電話網と接続するための電話網接続装置とを備えるサーバシステムであって、前記中継サーバは、電話網を介してインターネットと接続される接続型サーバのホスト名が指定されたＩＰアドレス取得要求をインターネット上の機器から受信した場合、該指定されたホスト名の接続型サーバがインターネットと接続しているか否かを判定し、前記接続型サーバがインターネットと接続していないと判定された場合、前記指定されたホスト名に対応する電話番号への発信要求を前記電話網接続装置へ送信し、前記電話網接続装置は、前記中継サーバからの発信要求を受信すると、電話網を介して、前記発信要求により発信が要求された電話番号への発信を行い、前記接続型サーバは、電話網からの着信があると、インターネットとの接続を行うことを特徴とする中継サーバシステムを提供する。
【００１９】
また、ＤＮＳ機能を有するサーバであって、接続型サーバのＩＰアドレス取得要求を受信した場合、該接続型サーバがインターネットと接続しているか否かを判定し、該接続型サーバがインターネットと接続していないと判定された場合、該接続型サーバをインターネットに接続させるために該接続型サーバに対して電話網経由での発信処理を行うことを特徴とするサーバおよび該サーバを制御するプログラムを記憶する記憶媒体を提供する。
【発明の効果】
【００２０】
本発明によれば、接続型サーバがインターネットに接続していない場合、または、接続型サーバがインターネットに接続する毎にアドレスが変更する場合でも、クライアント装置から接続型サーバにインターネット経由で接続できるようにすることができる。
【発明を実施するための最良の形態】
【００２１】
以下、本発明の実施の形態について図面を参照しながら説明する。
【００２２】
（第１の実施の形態）
図１は本発明の第１の実施の形態に係るサーバシステムの構成を示すブロック図、図２は図１の中継サーバ１０３に保持されているホスト名・電話番号・ＩＰアドレス対応表１０４の一例を示す図である。
【００２３】
サーバシステムにおいては、図１に示すように、公衆電話網１０８を用いてインターネット１０７へ接続する接続型サーバであるモバイルサーバ１０１の使用者がＷｅｂ公開をする場合、公衆無線データ通信カード１０２を用いて、公衆無線基地局１１０および公衆電話網１０８を介して、プロバイダのインターネットアクセスポイント１０９とのダイヤルアップ接続が行われ、モバイルサーバ１０１のインターネット１０７への接続が行われる。モバイルサーバ１０１がインターネット１０７と接続されると、プロバイダによってＩＰアドレス（動的ＩＰアドレス）が割り振られるので、割り振られたＩＰアドレスはモバイルサーバ１０１から中継サーバ１０３へ通知される。
【００２４】
中継サーバ１０３においては、モバイルサーバ１０１よりＩＰアドレスが通知されると、ホスト名・電話番号・ＩＰアドレス対応表１０４に記述されているＩＰアドレスが通知されたＩＰアドレスに書き換えられる。ホスト名・電話番号・ＩＰアドレス対応表１０４は、図２に示すように、ホスト名と電話番号とＩＰアドレスとが対応付けて記述されたものであり、ホスト名と電話番号との対応関係は、中継サーバ１０３の使用者によって予め設定されたものであり、ＩＰアドレスは必要に応じて随時書き換えられるものである。中継サーバ１０３は、モバイルサーバ１０１などの接続型サーバがインターネット１０７に接続中であるか否かを判定する機能を有する。また、中継サーバ１０３は、電話網接続装置１０５を介して公衆電話網１０９に発信が可能である。
【００２５】
次に、中継サーバ１０３がクライアントＰＣ１０６からホスト名に対応するＩＰアドレス取得要求を受信した場合における、モバイルサーバ１０１、インターネットアクセスポイント１０９、電話網接続装置１０５、中継サーバ１０３、クライアントＰＣ１０６のそれぞれの動作について図３〜図７を参照しながら説明する。図３は中継サーバ１０３がクライアントＰＣ１０６からホスト名に対応するＩＰアドレス取得要求を受信した場合で、そのホスト名に対応するモバイルサーバ１０１がインターネット１０７と接続されている場合における、モバイルサーバ１０１、インターネットアクセスポイント１０９、電話網接続装置１０５、中継サーバ１０３、クライアントＰＣ１０６のそれぞれの動作を示すシーケンス図、図４は中継サーバ１０３がクライアントＰＣ１０６からホスト名に対応するＩＰアドレス取得要求を受信した場合で、そのホスト名に対応するモバイルサーバ１０１がインターネット１０７と接続されていない場合における、モバイルサーバ１０１、インターネットアクセスポイント１０９、電話網接続装置１０５、中継サーバ１０３、クライアントＰＣ１０６のそれぞれの動作を示すシーケンス図、図５は中継サーバ１０３の動作の手順を示すフローチャート、図６はモバイルサーバ１０１の動作の手順を示すフローチャート、図７はＤＮＳの仕組みを用いてクライアントＰＣ１０６がモバイルサーバ１０１のホスト名「server1.abcdefg.co.jp」からＩＰアドレスを得る場合のシーケンス図である。
【００２６】
クライアントＰＣ１０６の使用者がモバイルサーバ１０１により公開されるＷｅｂページを閲覧する場合、通常クライアントＰＣ１０６のＷｅｂブラウザソフトウェアが起動され、モバイルサーバ１０１により公開されるＷｅｂページのＵＲＬ（Uniform Resource Locator）が入力される。ＵＲＬは、例えばhttp://server1.abcdefg.co.jp/index.htmlというように表され、このＵＲＬには、スキーム名（本例のhttp）、サーバ名（本例のserver1.abcdefg.co.jp）、ポート名（本例では省略されている）、パス名（本例のindex.html）、ユーザ名、パスワード（本例では省略されている）の各情報が記載されている。Ｗｅｂブラウザは、サーバ名の部分がＩＰアドレスの数字列でない場合すなわちホスト名が文字列で入力された場合、ホスト名からＩＰアドレスを得るようにクライアントＰＣ１０６を制御する。
【００２７】
クライアントＰＣ１０６がホスト名からＩＰアドレスを得るためには、図７に示すＤＮＳの仕組みが用いられる。このＤＮＳの仕組みを用いてクライアントＰＣ１０６がモバイルサーバ１０１のホスト名「server1.abcdefg.co.jp」からＩＰアドレスを得る場合、クライアントＰＣ１０６に設定されているＤＮＳサーバ（フルサービスリゾルバ）７０１のＩＰアドレスが用いられて、「server1.abcdefg.co.jp」のＩＰアドレス再帰検索要求が行われる（ステップＳ７５１）。クライアントＰＣ１０６から上記ＩＰアドレス再帰検索の要求を受け取ったＤＮＳサーバ７０１は、ルートサーバ７０２から順に再帰検索を行い（ステップＳ７５２〜７５９）、その検索により得られた「server1.abcdefg.co.jp」のＩＰアドレスをクライアントＰＣ１０６に対して返す（ステップＳ７５０）。これは、従来のＤＮＳの仕組みと同一であるので、以後の説明において、このＤＮＳの仕組みは省略する。
【００２８】
ここでは、図３または図４に示すように、クライアントＰＣ１０６が中継サーバ１０３にＩＰアドレス取得要求Ｍ３０１を直接送信して、中継サーバ１０３からＩＰアドレス返答Ｍ３０２を直接受信する場合を説明する。ここで、クライアントＰＣ１０６からのＩＰアドレス取得要求Ｍ３０１により指定されるホスト名は、モバイルサーバ１０１のホスト名であるとする。
【００２９】
具体的には、図５に示すように、中継サーバ１０３が、ホスト名が指定されたＩＰアドレス取得要求をクライアントＰＣ１０６から受信すると（ステップＳ５０１）、中継サーバ１０３は、上記受信したＩＰアドレス取得要求により指定されたホスト名に対応するモバイルサーバ１０１がインターネット１０７に接続されているか否かを判定する（ステップＳ５０２）。ここで、モバイルサーバ１０１がインターネット１０７に接続されていると判定された場合、中継サーバ１０３は、ホスト名・電話番号・ＩＰアドレス対応表１０４を参照し、指定されたホスト名に対応するＩＰアドレスを含む返答Ｍ３０２（図３を参照）をクライアントＰＣ１０６に対して行う（ステップＳ５０６）。
【００３０】
これに対し、上記ステップＳ５０２においてモバイルサーバ１０１がインターネット１０７に接続されていないと判定された場合、中継サーバ１０３は、ホスト名・電話番号・ＩＰアドレス対応表１０４を参照し、指定されたホスト名に対応する電話番号への発信をを要求する発信要求Ｍ４０１（図４を参照）を電話網接続装置１０５に対して行う（ステップＳ５０３）。この発信要求Ｍ４０１を中継サーバ１０３から受け取った電話網接続装置１０５は、図４に示すように、公衆電話網１０８に対して指定された電話番号で発信Ｍ４０２を行う。
【００３１】
モバイルサーバ１０１は、図６に示すように、常に着信を待ち受け状態にある（ステップＳ６０１）。ここで、電話接続装置１０５からの着信Ｍ４０２があると、モバイルサーバ１０１は、予め登録されているインターネットアクセスポイント１０９に対して発信Ｍ４０３を行い、インターネットアクセスポイント１０９の応答後にインターネット接続Ｍ４０４（図４を参照）を行う（ステップＳ６０２）。インターネット１０７との接続が完了すると、モバイルサーバ１０１は、インターネットアクセスポイント１０９からのＩＰアドレスの付与されるＭ４０５（図４を参照）を待つ（ステップＳ６０３）。ここで、ＩＰアドレスの付与Ｍ４０５が行われると、モバイルサーバ１０１は、付与されたＩＰアドレスの通知Ｍ４０６（図４を参照）をインターネット１０７経由で中継サーバ１０３に対して行う（ステップＳ６０４）。
【００３２】
モバイルサーバ１０１よりＩＰアドレス通知Ｍ４０６を受信した中継サーバ１０３は、図５に示すように、通知されたＩＰアドレスをホスト名・電話番号・ＩＰアドレス対応表１０４の指定されたホスト名に対応するＩＰアドレスとして登録し（ステップＳ５０５）、このＩＰアドレスの返答Ｍ３０２（図４を参照）をクライアントＰＣ１０６に対して行う（ステップＳ５０６）。
【００３３】
例えば図２に示すホスト名・電話番号・ＩＰアドレス対応表１０４において、ホスト名「server1.abcdefg.co.jp」のモバイルサーバ（接続型サーバ）は、インターネット１０７と接続しており、ホスト名「server2.abcdefg.co.jp」のモバイルサーバは、インターネット１０７と接続していないとする。ここで、クライアントＰＣ１０６から「server1.abcdefg.co.jp」のホスト名に対するＩＰアドレス取得要求Ｍ３０１が行われると、このＩＰアドレス取得要求Ｍ３０１を受け取った中継サーバ１０３は、ＩＰアドレスの取得が要求されたホスト名「server1.abcdefg.co.jp」のモバイルサーバ１０１がインターネット１０７と接続されているので、そのホスト名「server1.abcdefg.co.jp」のＩＰアドレス「123.456.789.012」をホスト・電話番号・ＩＰアドレス対応表１０４から見出すことができ、そのＩＰアドレスを含む返答Ｍ３０２をクライアントＰＣ１０６に対して行う。
【００３４】
これに対し、クライアントＰＣ１０６から「server2.abcdefg.co.jp」のホスト名に対するＩＰアドレス取得要求Ｍ３０１が行われると、このＩＰアドレス取得要求Ｍ３０１を受け取った中継サーバ１０３は、ホスト・電話番号・IPアドレス対応表１０４を参照して「server2.bcdefg.co.jp」に対応付けられている電話番号「09022222222」への発信要求Ｍ４０１を電話網接続装置１０５に対して行い、電話網接続装置１０５は、「09022222222」へ発信を行う。ここで、電話番号「09022222222」は現在インターネット１０７と接続していないモバイルサーバ１０１の電話番号である。モバイルサーバ１０１は、着信を受けると、インターネット１０７に接続し、接続時に付与されたＩＰアドレス「123.456.789.013」を中継サーバ１０３に通知する。中継サーバ１０３は、通知されたＩＰアドレス「123.456.789.013」をホスト名・電話番号・ＩＰアドレス対応表１０４のホスト名「server2.abcdefg.co.jp」に対応するＩＰアドレスのエリアに格納し、ＩＰアドレス「123.456.789.013」を含む返答Ｍ３０２をクライアントＰＣ１０６に対して行う。
【００３５】
本実施の形態において、中継サーバ１０３による、モバイルサーバ１０１がインターネット１０７に接続しているか否かを判定する（ステップＳ５０２）方法としては、次の三つの方法がある。これらの判定方法について図８〜図１０を参照しながら説明する。図８は第一の判定方法を実施した場合のモバイルサーバ１０１、インターネットアクセスポイント１０９、電話網接続装置１０５、中継サーバ１０３、クライアントＰＣ１０６のそれぞれの動作を示すシーケンス図、図９は第１の判定方法において中継サーバ１０３からモバイルサーバ１０１に対してポーリングを行う場合のシーケンスを示す図、図１０は第三の判定方法を実施した場合のモバイルサーバ１０１、インターネットアクセスポイント１０９、電話網接続装置１０５、中継サーバ１０３、クライアントＰＣ１０６のそれぞれの動作を示すシーケンス図である。
【００３６】
第一の判定方法は、モバイルサーバ１０１がインターネット１０７へ接続している場合およびインターネット１０７との接続を切断した場合に、その旨を中継サーバ１０３に対して通知する方法である。モバイルサーバ１０１は、図８に示すように、インターネット１０７との接続Ｍ４０４を行った後、インターネット接続開始通知Ｍ８０１を中継サーバ１０３に対して送信する。また、モバイルサーバ１０１は、インターネット１０７からの切断Ｍ８０３を行う前にインターネット切断通知Ｍ８０２を送信する。これにより、中継サーバ１０３は、モバイルサーバ１０１がインターネット１０７と接続しているか否かを常に判断することができる。
【００３７】
しかしながら、モバイルサーバ１０１がインターネット１０７との接続中に移動し、公衆無線基地局１１０の圏外になり、突然インターネット１０７との接続が切断された場合などは、中継サーバ１０３に対してインターネット切断通知Ｍ８０２を送信することができない。これを防止するためには、中継サーバ１０３からモバイルサーバ１０１に対して常にポーリングを行えばよい。
【００３８】
中継サーバ１０３からモバイルサーバ１０１に対してポーリングを行う場合、図９に示すように、中継サーバ１０３は、モバイルサーバ１０１に対して一定間隔毎にポーリング要求Ｍ９０１を送信する。モバイルサーバ１０１は、ポーリング要求Ｍ９０１を受信すると、ポーリング応答Ｍ９０２を中継サーバ１０３に対して送信する。中継サーバ１０３は、ポーリング要求Ｍ９０１をモバイルサーバ１０１に送信してから、一定時間以内にモバイルサーバ１０１からポーリング応答Ｍ９０２を受信した場合は、モバイルサーバ１０１がインターネット１０７に接続中であると判断し、一定時間以内にモバイルサーバ１０１からポーリング応答を受信しない場合は、モバイルサーバ１０１がインターネット１０７から切断されたと判断する。これによって、中継サーバ１０３は、常に、モバイルサーバ１０１が突然インターネット１０７から切断された場合も含め、モバイルサーバ１０１がインターネット１０７と接続しているか否かを判断することができる。
【００３９】
第二の判定方法は、モバイルサーバ１０１がインターネット１０７と接続しているか否かを判定する場合に、中継サーバ１０３がインターネットアクセスポイント１０９に対して問い合わせを行う方法である。これは、インターネットアクセスポイント１０９が、モバイルサーバ１０１がインターネット１０７に接続している否かを常に把握していることを利用するものである。この第二の判定方法によれば、モバイルサーバ１０１がインターネット１０７との接続中に移動して公衆無線基地局１１０の圏外になり突然インターネット１０７から切断された場合でも、インターネットアクセスポイント１０９は、モバイルサーバ１０１がインターネット１０７から切断されたことを認識することができるので、上記第一の判定方法のようにモバイルサーバ１０１をポーリングする必要はない。
【００４０】
第三の判定方法は、モバイルサーバ１０１がインターネット１０７と接続した場合およびインターネット１０７から切断された場合にインターネットアクセスポイント１０９が中継サーバ１０３に対して通知する方法である。
【００４１】
具体的には、図１０に示すように、モバイルサーバ１０１のインターネット１０７との接続Ｍ４０４後、インターネットアクセスポイント１０９は、インターネット接続開始通知Ｍ１００１を中継サーバ１０３に対して送信する。また、インターネットアクセスポイント１０９は、モバイルサーバ１０１のインターネット１０７からの切断Ｍ８０３後に、インターネット切断通知Ｍ１００２を中継サーバ１０３に対して送信する。これにより、中継サーバ１０３は、常に、モバイルサーバ１０１がインターネット１０７と接続しているか否かを判断することができる。この第三の判定方法において、モバイルサーバ１０１がインターネット１０７との接続中に移動して公衆無線基地局１１０の圏外になり、突然インターネット１０７から切断された場合でも、インターネットアクセスポイント１０９は、モバイルサーバ１０１がインターネット１０７から切断されたことを認識することができるので、上記第一の判定方法のようにモバイルサーバ１０１をポーリングする必要はない。
【００４２】
よって、本実施の形態によれば、以下の効果を得ることができる。
【００４３】
モバイルサーバ１０１がインターネット１０７と接続する毎にモバイルサーバ１０１のＩＰアドレスが変更されても、クライアントＰＣ１０６から常に同じホスト名でアクセスすることが可能である。
【００４４】
また、モバイルサーバ１０１がインターネット１０７と接続されていない場合でも、クライアントＰＣ１０６からホスト名を用いてモバイルサーバ１０１に対してアクセスすれば、モバイルサーバ１０１がインターネット１０７と接続するので、クライアントＰＣ１０６の使用者は、モバイルサーバ１０１がインターネットと接続しているか否かを認識することなく、モバイルサーバ１０１へアクセスを行うことが可能になる。
【００４５】
また、モバイルサーバ１０１がインターネット１０７と接続している場合は、中継サーバ１０３からモバイルサーバ１０１に対して着信を行わないので、他人がクライアントＰＣ１０６からモバイルサーバ１０１のインターネット１０７との接続を起動した場合でも、クライアントＰＣ１０６からのアクセスが可能である。
【００４６】
また、モバイルサーバ１０１は、クライアントＰＣ１０６からアクセスがあったときのみにインターネット１０７と接続すればよいので、モバイルサーバ１０１のインターネット１０７との接続中における消費電流、通話料金、無線チャネルなどのリソースが無駄にならない。
【００４７】
また、上述した各効果を奏する中継サーバシステムは、現在広く普及しているインターネットアクセスポイント１０９に変更を加えることなく、実現することできる。但し、モバイルサーバ１０１がインターネット１０７と接続しているか否かを判定する方法として、第一の判定方法を用いない場合は、モバイルサーバ１０１がインターネット１０７と接続しているか否かを示す情報を中継サーバ１０３へ通知する手段を、インターネットアクセスポイント１０９に設ける必要がある。
【００４８】
本実施の形態においては、間違い電話など、電話網接続装置１０５以外からの着信がある場合でも、モバイルサーバ１０１はインターネット１０７と接続することになる。これを防止するためには、電話網接続装置１０５の電話番号を記憶するエリアをモバイルサーバ１０１に設け、着信があった場合に通知される発信元電話番号と記憶されている電話網接続装置１０５の電話番号とが一致した場合にのみモバイルサーバ１０１がインターネット１０７と接続するよう構成すればよい。
【００４９】
また、本実施の形態において、電話網接続装置１０５と中継サーバ１０３の間は、ケーブルなどで接続されていてもよいし、インターネット１０７を介して接続されていてもよい。また、電話網接続装置１０５と中継サーバ１０３が一体型の場合でも同様の効果を得ることができる。
【００５０】
（第２の実施の形態）
次に、本発明の第２の実施の形態について図１１〜図１３を参照しながら説明する。図１１は本発明の第２の実施の形態に係るサーバシステムにおけるモバイルサーバが電話網接続装置からの着信に応答してインターネットと接続する場合のモバイルサーバ、電話網接続装置、中継サーバ、クライアントＰＣのそれぞれの動作を示すシーケンス図、図１２は本発明の第２の実施の形態においてモバイルサーバが電話網接続装置から着信があった場合に電話網接続装置に発信を行ってインターネットと接続する場合のモバイルサーバ、電話網接続装置、中継サーバ、クライアントＰＣのそれぞれの動作を示すシーケンス図、図１３は本発明の第２の実施の形態において、モバイルサーバがインターネットと接続されているか否かを判定する方法として、第三の判定方法を実施した場合のモバイルサーバ、電話網接続装置、中継サーバ、クライアントＰＣのそれぞれの動作を示すシーケンス図である。
【００５１】
本実施の形態は、上記第１の実施の形態と基本的に同じ構成を有するので、その構成は省略するとともに、同一の符号を用いて説明を行う。
【００５２】
上記第１の実施の形態においては、モバイルサーバ１０１がインターネット１０７と接続する場合は、インターネットアクセスポイント１０９を介してモバイルサーバ１０１とインターネット１０７との接続が行われるが、本実施の形態においては、電話網接続装置１０５がインターネットアクセスポイント１０９の機能を有し、モバイルサーバ１０１が電話網接続装置１０５経由でインターネット１０７と接続することが可能である。また、本実施の形態においては、電話網接続装置１０５が、モバイルサーバ１０１にＩＰアドレスを付与する機能を有する。
【００５３】
まず、モバイルサーバ１０１が電話網接続装置１０５からの着信に応答してインターネット１０７と接続する場合について説明する。
【００５４】
モバイルサーバ１０１は、図１１に示すように、クライアントＰＣ１０６からのＩＰアドレス取得要求に基づいた電話接続装置１０５からの着信Ｍ４０２があると、応答Ｍ１１０１を行い、電話網接続装置１０５を介してインターネット接続Ｍ１１０２を行う。このとき、電話網接続装置１０５は、モバイルサーバ１０１に対してＩＰアドレス付与Ｍ１１０３を行う。モバイルサーバ１０１は、ＩＰアドレスが付与されると、付与されたＩＰアドレスを通知するためのＩＰアドレス通知Ｍ４０６を中継サーバ１０３に対して行う。中継サーバ１０３は、通知されたＩＰアドレスを含むＩＰアドレス返答Ｍ３０２を行う。
【００５５】
次に、モバイルサーバ１０１が電話網接続装置１０５からの着信Ｍ４０２に応答して電話網接続装置１０５に発信を行う場合について説明する。
【００５６】
この場合、図１２に示すように、モバイルサーバ１０１は、クライアントＰＣ１０６からのＩＰアドレス取得要求に基づいた電話接続装置１０５からの着信Ｍ４０２があると、発信Ｍ１２０１を行い、電話網接続装置１０５を介してインターネット接続Ｍ１１０２を行う。ここで、モバイルサーバ１０１が電話網接続装置１０５に発信Ｍ１２０１を行ってインターネット１０７と接続する場合は、電話網接続装置１０５の電話番号がモバイルサーバ１０１に予め設定されていなければならないが、着信Ｍ４０２時に通知される発信元電話番号に対して発信Ｍ１２０１を行うようにすれば、電話網接続装置１０５の電話番号をモバイルサーバ１０１に予め設定する必要はない。現在の電話料金体系では、通常発信者が課金されるので、着信Ｍ４０２に対して、応答Ｍ１１０１を行ってインターネット１０７に接続するか、発信Ｍ１２０１を行ってインターネット１０７に接続するかは、電話網接続装置１０５を所有するいわゆるプロバイダ側とモバイルサーバ１０１の使用者のどちらが電話料金を負担するかによって決定される。
【００５７】
本実施の形態において、中継サーバ１０３による、モバイルサーバ１０１がインターネット１０７に接続されているか否かを判定する方法としては、第一、第二および第三の判定方法がある。第一の判定方法は、上記第１の実施の形態における第一の判定方法と同じである。
【００５８】
第二の判定方法は、中継サーバ１０３が電話網接続装置１０５に対して、モバイルサーバ１０１がインターネット１０７と接続しているか否かを問い合わせる方法である。これは、電話網接続装置１０５が、常に、モバイルサーバ１０１がインターネット１０７と接続しているか否かを把握していることを利用したものである。この第二の判定方法によれば、モバイルサーバ１０１がインターネット１０７との接続中に移動して公衆無線基地局１１０の圏外になり突然インターネット１０７から切断された場合でも、電話網接続装置１０５は、モバイルサーバがインターネット１０７から切断されたことを認識するので、第一の判定方法のように、モバイルサーバ１０１をポーリングする必要はない。
【００５９】
第三の判定方法は、電話網接続装置１０５が、モバイルサーバ１０１がインターネット１０７と接続した場合およびインターネット１０７から切断された場合に、その旨を中継サーバ１０３に対して通知する方法である。
【００６０】
この第三の判定方法を用いた場合のモバイルサーバ１０１、電話網接続装置１０５、中継サーバ１０３、クライアントＰＣ１０６のそれぞれの動作について説明する。
【００６１】
図１３に示すように、モバイルサーバ１０１のインターネット１０７との接続Ｍ１１０２後、電話網接続装置１０５は、インターネット接続開始通知Ｍ１３０１を中継サーバ１０３に対して送信する。また、モバイルサーバ１０１のインターネット１０７からの切断Ｍ１３０２後、電話網接続装置１０５は、インターネット接続終了通知Ｍ１３０３を中継サーバ１０３に対して送信する。これにより、中継サーバ１０３は、常に、モバイルサーバ１０１がインターネット１０７に接続しているか否かを判断することができる。第三の判定方法によれば、上記第二の判定方法と同様に、モバイルサーバ１０１がインターネット１０７との接続中に移動して公衆無線基地局１１０の圏外になり突然インターネット１０７から切断された場合でも、電話網接続装置１０５は、モバイルサーバ１０１がインターネット１０７から切断されたことを認識することができるので、第一の判定方法のようにモバイルサーバ１０１をポーリングする必要はない。
【００６２】
以上より、本実施の形態によれば、上記第１の実施の形態の効果に加えて、以下のような効果を奏する。
【００６３】
モバイルサーバ１０１の使用者がインターネットアクセスポイント１０９を有するプロバイダと契約する必要がない。
【００６４】
また、モバイルサーバ１０１が電話網接続装置１０５からの着信に応答してインターネット１０７と接続する場合、インターネットアクセスポイント１０９に相当する電話網接続装置１０５の電話番号を設定する必要がない。
【００６５】
また、モバイルサーバ１０１へ電話網接続装置１０５からの着信に応答して、モバイルサーバ１０１が電話網接続装置１０５に対して発信を行ってインターネット１０７と接続する場合、モバイルサーバ１０１が着信時により通知される発信元電話番号に対して発信すれば、モバイルサーバ１０１が電話網接続装置１０５を介してインターネット１０７と接続することができるので、インターネットアクセスポイント１０９に相当する電話網接続装置１０５の電話番号を設定する必要がない。
【００６６】
また、モバイルサーバ１０１がインターネット１０７と接続しているか否かを判定する方法として、第一の判定方法を用いない場合でも、モバイルサーバ１０１がインターネット１０７と接続した場合およびインターネット１０７から切断した場合は、中継サーバ１０３に対して通知する手段をインターネットアクセスポイント１０９に設けなくてもよいので、現在広く普及しているインターネットアクセスポイント１０９に全く変更を加えることなく、中継サーバシステムを実現することできる。
【００６７】
また、本実施の形態においては、間違い電話など、電話網接続装置１０５以外からの着信があれば、モバイルサーバ１０１は、応答しまたは通知された発信元電話番号に対して発信することになる。これを防止するためには、モバイルサーバ１０１に電話網接続装置１０５の電話番号を記憶するエリアを設け、着信時に通知される発信元電話番号と記憶されている電話網接続装置１０５の電話番号とが一致した場合のみに、応答しまたは通知された発信元電話番号に対して発信するようにすればよい。
【００６８】
また、本実施の形態においては、電話網接続装置１０５を中継サーバ１０３と一体型とするように構成してよく、この場合でも同様の効果を得ることができる。
【００６９】
（第３の実施の形態）
次に、本発明の第３の実施の形態について図１４〜図１７を参照しながら説明する。図１４は本発明の第３の実施の形態において中継サーバがクライアントＰＣからのホスト名に対応するＩＰアドレス取得要求を受信した場合でそのホスト名に対応するモバイルサーバがインターネットと接続していない場合のモバイルサーバ、インターネットアクセスポイント、電話網接続装置、中継サーバ、クライアントＰＣのそれぞれにおける動作を示すシーケンス図、図１５は本発明の第３の実施の形態における中継サーバの動作を示すフローチャート、図１６は本発明の第３の実施の形態におけるモバイルサーバの動作を示すフローチャート、図１７は第三の判定方法を実施した場合におけるモバイルサーバ、インターネットアクセスポイント、電話網接続装置、中継サーバ、クライアントＰＣのそれぞれの動作を示すシーケンス図である。
【００７０】
本実施の形態は、上記第１の実施の形態と基本的に同じ構成を有するので、その構成は省略するとともに、同一の符号を用いて説明を行う。
【００７１】
上記第１の実施の形態においては、中継サーバ１０３へのＩＰアドレスの通知がモバイルサーバ１０１から行われるが、本実施の形態においては、ＩＰアドレスの通知がインターネットアクセスポイント１０９から行われる。
【００７２】
中継サーバ１０３は、図１５に示すように、ホスト名が指定されたＩＰアドレス取得要求Ｍ３０１（図１４を参照）をクライアントＰＣ１０６から受信すると（ステップＳ５０１）、指定されたホスト名に対応するモバイルサーバ１０１がインターネット１０７と接続しているか否かを判定する（ステップＳ５０２）。モバイルサーバ１０１がインターネット１０７と接続していると判定された場合、中継サーバ１０３は、ホスト名・電話番号・ＩＰアドレス対応表１０４を参照し、指定されたホスト名に対応するＩＰアドレスを含む返答Ｍ３０２（図１４を参照）をクライアントＰＣ１０６に対して行う（ステップＳ５０６）。
【００７３】
上記ステップＳ５０２においてモバイルサーバ１０１がインターネット１０７と接続していないと判定された場合、中継サーバ１０３は、ホスト名・電話番号・ＩＰアドレス対応表１０４を参照し、指定されたホスト名に対応する電話番号に対して発信を行うことを要求する要求Ｍ４０１（図１４を参照）を電話網接続装置１０５に対して行う（ステップＳ５０３）。上記要求Ｍ４０１を受け取った電話網接続装置１０５は、公衆電話網１０８に対して指定された電話番号で発信Ｍ４０２を行う（図１４を参照）。
【００７４】
モバイルサーバ１０１は、図１６に示すように、着信を待ち受け状態にある（ステップＳ６０１）。ここで、モバイルサーバ１０１は、電話網接続装置１０５からの着信Ｍ４０２があると、予め登録されているインターネットアクセスポイント１０９に対して発信Ｍ４０３（図１４を参照）を行い、インターネットアクセスポイント１０９からの応答後にインターネット接続Ｍ４０４を行う（ステップＳ６０２）。モバイルサーバ１０１とインターネット１０７との接続が完了すると、モバイルサーバ１０１は、インターネットアクセスポイント１０９によるＩＰアドレスの付与Ｍ４０５（図１４を参照）を待ち（ステップＳ６０３）、ＩＰアドレスが付与されると、本処理を終了する。
【００７５】
ＩＰアドレスの付与Ｍ４０５を行ったインターネットアクセスポイント１０９は、モバイルサーバ１０１に付与したＩＰアドレスの通知Ｍ１４０１（図１４を参照）をインターネット１０７経由で中継サーバ１０３に対して行う。
【００７６】
中継サーバ１０３は、図１５に示すように、インターネットアクセスポイント１０９からＩＰアドレス通知Ｍ１４０１を受信すると（ステップＳ１５０１）、通知されたＩＰアドレスをホスト名・電話番号・ＩＰアドレス対応表１０４の指定されたホスト名に対応するＩＰアドレスとして登録するとともに（ステップＳ５０５）、通知されたＩＰアドレスの返答Ｍ３０２をクライアントＰＣ１０６に対して行う（ステップＳ５０６）。
【００７７】
例えば図２に示すホスト名・電話番号・ＩＰアドレス対応表１０４において、現在、ホスト名「server1.abcdefg.co.jp」のモバイルサーバはインターネット１０７と接続しており、ホスト名「server2.abcdefg.co.jp」のモバイルサーバはインターネット１０７と接続していないとする。
【００７８】
クライアントＰＣ１０６が「server1.abcdefg.co.jp」のホスト名に対するＩＰアドレス取得要求Ｍ３０１を行うと、中継サーバ１０３は、ホスト・電話番号・ＩＰアドレス対応表１０４を参照し、「server1.abcdefg.co.jp」のＩＰアドレス「123.456.789.012」の返答Ｍ３０２をクライアントＰＣ１０６に対して行う。
【００７９】
これに対し、クライアントＰＣ１０６が「server2.abcdefg.co,jp」のホスト名に対するＩＰアドレス取得要求Ｍ３０１を行うと、中継サーバ１０３は、ホスト・電話番号・ＩＰアドレス対応表１０４を参照し、「server2.bcdefg.co.jp」の電話番号「09022222222」への発信要求Ｍ４０１を電話網接続装置１０５に対して行い、電話網接続装置１０５は伝番号「09022222222」へ発信を行う。電話番号「09022222222」は現在インターネット１０７と接続していないモバイルサーバ１０１の電話番号であり、モバイルサーバ１０１は、着信を受けると、インターネット１０７と接続する。インターネットアクセスポイント１０９は、モバイルサーバ１０１に付与したＩＰアドレス「123.456.789.013」を中継サーバ１０３に通知すると、中継サーバ１０３は、ＩＰアドレス「123.456.789.013」をホスト名・電話番号・ＩＰアドレス対応表１０４のホスト名「server2.abcdefg.co.jp」に対応するＩＰアドレスのエリアに格納し、ＩＰアドレス「123.456.789.013」を含む返答Ｍ３０２をクライアントＰＣ１０６に対して行う。
【００８０】
本実施の形態において、モバイルサーバ１０１がインターネット１０７と接続しているか否かを判定する方法としては、第一、第二および第三の判定方法がある。
【００８１】
第一の判定方法は、上記第１の実施の形態の第一の判定方法と同じである。
【００８２】
第二の判定方法は、中継サーバ１０３がインターネットアクセスポイント１０９に対して問い合わせを行い、中継サーバ１０３が、問い合わせの結果に基づいて、モバイルサーバ１０１がインターネット１０７に接続しているか否かを判定する方法である。これは、インターネットアクセスポイント１０９が、常に、モバイルサーバ１０１がインターネット１０７と接続しているか否かを把握していることを利用したものである。この第二の判定方法によれば、モバイルサーバ１０１がインターネット１０７との接続中に移動して公衆無線基地局１１０の圏外になり、突然インターネット１０７との接続がされた場合でも、インターネットアクセスポイント１０９は、モバイルサーバ１０１がインターネット１０７から切断されたことを認識することができるので、第一の判定方法のようにモバイルサーバ１０１をポーリングする必要はない。
【００８３】
第三の判定方法は、モバイルサーバ１０１がインターネット１０７と接続した場合およびインターネット１０７との接続を切断した場合に、その旨をインターネットアクセスポイント１０９から中継サーバ１０３に対して通知する方法である。
【００８４】
この第三の判定方法を実施した場合におけるモバイルサーバ１０１、インターネットアクセスポイント１０９、電話網接続装置１０５、中継サーバ１０３、クライアントＰＣ１０６のそれぞれの動作について説明する。
【００８５】
具体的には、図１７に示すように、モバイルサーバ１０１のインターネット接続Ｍ４０４後、インターネットアクセスポイント１０９は、インターネット接続開始通知Ｍ１００１を中継サーバ１０３に送信する。また、インターネットアクセスポイント１０９は、モバイルサーバ１０１のインターネット１０７からの切断Ｍ８０３後、インターネット切断通知Ｍ１００２を送信する。これにより、中継サーバ１０３は、常に、モバイルサーバ１０１がインターネット１０７と接続しているか否かを判断することができる。この第三の判定方法によれば、上記第二の判定方法と同様に、モバイルサーバ１０１をポーリングする必要はない。
【００８６】
以上より、本実施の形態によれば、上記第１および第２の実施の形態と同様の効果を得ることができる。
【００８７】
（第４の実施の形態）
次に、本発明の第４の実施の形態について図１８〜図２２を参照しながら説明する。図１８は本発明の第４の実施の形態において中継サーバがクライアントＰＣからホスト名に対応するＩＰアドレス取得要求を受信した場合でそのホスト名に対応するモバイルサーバがインターネットに接続していない場合のモバイルサーバ、電話網接続装置、中継サーバ、クライアントＰＣのそれぞれの動作を示すシーケンス図、図１９は本発明の第４の実施の形態における中継サーバの動作の手順を示すフローチャート、図２０は本発明の第４の実施の形態における電話網接続装置の動作の手順を示すフローチャート、図２１は本発明の第４の実施の形態におけるモバイルサーバの動作の手順を示すフローチャート、図２２は本発明の第４の実施の形態におけるモバイルサーバが電話網接続装置からの着信により、電話網接続装置に発信を行ってインターネットと接続する場合のモバイルサーバ、電話網接続装置、中継サーバ、クライアントＰＣのそれぞれの動作を示すシーケンス図である。
【００８８】
本実施の形態は、上記第１の実施の形態と基本的に同じ構成を有するので、その構成は省略するとともに、同一の符号を用いて説明を行う。
【００８９】
上記第１の実施の形態においては、中継サーバ１０３へのＩＰアドレスの通知がモバイルサーバ１０１から行われているが、本実施の形態においては、ＩＰアドレスの通知が電話網接続装置１０５から行われる。
【００９０】
中継サーバ１０３は、図１９に示すように、クライアントＰＣ１０６からホスト名が指定されたＩＰアドレス取得要求Ｍ３０１（図１８を参照）を受信すると（ステップＳ５０１）、指定されたホスト名に対応するモバイルサーバ１０１がインターネット１０７と接続中であるか否かを判定する（ステップＳ５０２）。モバイルサーバ１０１がインターネット１０７と接続中である場合、中継サーバ１０３は、ホスト名・電話番号・ＩＰアドレス対応表１０４を参照し、指定されたホスト名に対応するＩＰアドレスの返答Ｍ３０２をクライアントＰＣ１０６に対して行う（ステップＳ５０７）。
【００９１】
モバイルサーバ１０１がインターネット１０７と接続中でないと判定された場合、中継サーバ１０１は、ホスト名・電話番号・ＩＰアドレス対応表１０４を参照し、指定されたホスト名に対応する電話番号に対して発信することを要求する要求Ｍ４０１（図１８を参照）を電話網接続装置１０５に対して行う（ステップＳ５０３）。ここで、電話網接続措置１０５は、図２０に示すように、上記要求Ｍ４０１を中継サーバ１０３から受け取ると（ステップＳ２００１）、モバイルサーバ１０１に対する発信によって引き起こされる一連のインターネット接続シーケンスにおいてモバイルサーバ１０１に付与する予定のＩＰアドレスの通知Ｍ１８０１（図１８を参照）を中継サーバ１０３に対して行う（ステップＳ２００２）。その後、電話網接続装置１０５は、公衆電話網１０８に対して指定された電話番号で発信Ｍ４０２（図１８を参照）を行う（ステップＳ２００３）。
【００９２】
中継サーバ１０３は、図１９に示すように、電話網接続装置１０５からＩＰアドレス通知Ｍ１８０１を受信すると（ステップＳ１９０１）、通知されたＩＰアドレスをホスト名・電話番号・ＩＰアドレス対応表１０４の指定されたホスト名の対応するＩＰアドレスとして登録し（ステップＳ５０５）、通知されたＩＰアドレスの返答Ｍ３０２（図１８を参照）をクライアントＰＣ１０６に対して行う（ステップＳ５０６）。
【００９３】
モバイルサーバ１０１は、図２１に示すように、常に着信を待ち受け状態にある（ステップＳ６０１）。ここで、モバイルサーバ１０１は、電話接続装置１０５から着信Ｍ４０２があると、応答Ｍ１１０１（図１８を参照）を行い、電話網接続装置１０５に対してインターネット接続Ｍ１１０２を行う（ステップＳ２１０１）。インターネット１０７への接続が完了すると、モバイルサーバ１０１は、電話網接続装置１０５からのＩＰアドレス付与Ｍ１１０３（図１８を参照）を待つ（ステップＳ２１０２）。
【００９４】
ここで、例えば図２のホスト名・電話番号・ＩＰアドレス対応表１０４において、ホスト名「server1.abcdefg.co.jp」の接続型サーバ（モバイルサーバ）は、インターネット１０７と接続中であり、ホスト名「server2.abcdefg.co.jp」の接続型サーバ（モバイルサーバ）は、インターネット１０７と接続中でないとする。
【００９５】
上記の場合において、クライアントＰＣ１０６が「server1.abcdefg.co.jp」のホスト名に対するＩＰアドレス取得要求Ｍ３０１を行うと、中継サーバ１０３は、ホスト・電話番号・ＩＰアドレス対応表１０４を参照し、「server1.abcdefg.co.jp」のＩＰアドレス「123.456.789.012」の返答Ｍ３０２をクライアントＰＣ１０６に対して行う。
【００９６】
これに対し、クライアントＰＣ１０６が「server2.abcdefg.co,jp」のホスト名に対するＩＰアドレス取得要求Ｍ３０１を行うと、中継サーバ１０３はホスト・電話番号・ＩＰアドレス対応表１０４を参照し、「server2.bcdefg.co.jp」の電話番号「09022222222」への発信要求Ｍ４０１を電話網接続装置１０５に対して行う。電話網接続装置１０５は、モバイルサーバ１０１に付与する予定のＩＰアドレス「123.456.789.013」を中継サーバ１０３に通知した後、電話番号「09022222222」へ発信を行う。電話番号「09022222222」は、現在インターネット１０７と接続していないモバイルサーバ１０１の電話番号であり、モバイルサーバ１０１が上記着信に応答してインターネット１０７と接続し、電話網接続装置１０５は、モバイルサーバ１０１にＩＰアドレス「123.456.789.013」を付与する。
【００９７】
上記の例は、モバイルサーバ１０１が電話網接続装置１０５からの着信Ｍ４０２に応答Ｍ１１０１をしてインターネット１０７と接続する場合の例であるが、図２２に示すように、モバイルサーバ１０１が電話網接続装置１０５からの着信Ｍ４０２があると、電話網接続装置１０５に発信Ｍ１２０１を行い、インターネット１０７と接続するようにすることもできる。
【００９８】
この場合は、モバイルサーバ１０１が着信Ｍ４０２により通知される発信元電話番号に対して発信Ｍ１２０１すればよいので、モバイルサーバ１０１に電話網接続装置１０５の電話番号を予め設定しておく必要はない。また、現在の電話料金体系においては、通常発信者が課金されるので、モバイルサーバ１０１が着信Ｍ４０２に対して応答Ｍ１１０１を行ってインターネット１０７と接続するか、発信Ｍ１２０１を行ってインターネット１０７と接続するかは、電話網接続装置１０５を所有するいわゆるプロバイダ側とモバイルサーバ１０１の使用者のどちらが電話料金を負担するかによって決定されるものである。
【００９９】
本実施の形態において、中継サーバ１０３による、モバイルサーバ１０１がインターネット１０７と接続中であるか否かの判定方法としては、上記第２の実施の形態における第一の判定方法、第二の判定方法、第三の判定方法のいずれかが用いられる。
【０１００】
以上より、本実施の形態によれば、上記第１または第２の実施の形態と同様の効果を得ることができる。
【０１０１】
特に、上記第１〜第３の実施の形態においては、モバイルサーバ１０１がインターネット１０７と接続するまでは中継サーバ１０３にＩＰアドレスが通知されないので、クライアントＰＣ１０６へのＩＰアドレス返答Ｍ３０２を行うまでに時間が掛かり、ＤＮＳ検索においてＩＰアドレス取得要求Ｍ３０１から一定時間以内にＩＰアドレス返答を受信しないと、タイムアウトエラーになるが、本実施の形態においては、電話網接続装置１０５が中継サーバ１０３から発信要求Ｍ４０１を受信した時点でモバイルサーバ１０１に割り当てるＩＰアドレスの通知Ｍ１８０１を中継サーバ１０３に対して行うので、クライアントＰＣ１０６に対して通常のＤＮＳ検索とほぼ同等の時間でＩＰアドレス返答Ｍ３０２を行うことができ、タイムアウトエラーを回避することができる。
【０１０２】
（第５の実施の形態）
次に、本発明の第５の実施の形態について図２３〜図２６を参照しながら説明する。図２３は本発明の第５の実施の形態におけるホスト名・電話番号・ＩＰアドレス対応表の一例を示す図、図２４は本発明の第５の実施の形態においてモバイルサーバがインターネットアクセスポイントを介してインターネットと接続する場合のモバイルサーバ、インターネットアクセスポイント、電話網接続装置、中継サーバ、クライアントＰＣのそれぞれの動作を示すシーケンス図、図２５は本発明の第５の実施の形態においてモバイルサーバが電話網接続装置を介してインターネットと接続する場合のモバイルサーバ、電話網接続装置、中継サーバ、クライアントＰＣのそれぞれの動作を示すシーケンス図、図２６は本発明の第５の実施の形態における中継サーバの動作の手順を示すフローチャートである。
【０１０３】
本実施の形態は、上記第１の実施の形態と基本的に同じ構成を有するので、その構成は省略するとともに、同一の符号を用いて説明を行う。
【０１０４】
上記第１〜第４の実施の形態においては、モバイルサーバ１０１のＩＰアドレス（動的ＩＰアドレス）がインターネットアクセスポイント１０９または電話網接続装置１０５により割り振られていたが、本実施の形態においては、登録されているモバイルサーバが固定のＩＰアドレスを有する。例えば図２３のホスト名・電話番号・ＩＰアドレス対応表に示されるように、ホスト名「server2.abcdefg.co.jp」のモバイルサーバがインターネット１０７と接続していない場合でも、当該モバイルサーバに対応するＩＰアドレスが記載されている。従って、中継サーバ１０３には、各ホスト名に対するＩＰアドレスを予め設定する必要がある。
【０１０５】
本実施の形態においては、図２６に示すように、中継サーバ１０３が、ホスト名が指定されたＩＰアドレス取得要求Ｍ３０１をクライアントＰＣ１０６から受信すると（ステップＳ６０１）、中継サーバ１０３は、ホスト名・電話番号・ＩＰアドレス対応表１０４を参照し、指定されたホスト名に対応するＩＰアドレスの返答Ｍ３０２をクライアントＰＣ１０６に対して行う（ステップＳ５０６）。そして、中継サーバ１０３は、指定されたホスト名に対応するモバイルサーバ１０１がインターネット１０７と接続中であるか否かを判定する（ステップＳ５０２）。
【０１０６】
上記ステップＳ５０２においてモバイルサーバ１０１がインターネット１０７と接続していないと判定された場合は、中継サーバ１０３は、ホスト名・電話番号・ＩＰアドレス対応表１０４を参照し、指定されたホスト名に対応する電話番号への発信要求Ｍ４０１を電話網接続装置１０５に対して行う（ステップＳ５０３）。電話番号への発信要求Ｍ４０１を中継サーバ１０３から受け取った電話網接続装置１０５は、公衆電話網１０８に対して指定された電話番号で発信Ｍ４０２を行う。
【０１０７】
常に着信を待ち受け状態にあるモバイルサーバ１０１は、電話接続装置１０５からの着信Ｍ４０２があると、インターネット１０７との接続行う。ここで、モバイルサーバ１０１がインターネットアクセスポイント１０９を介してインターネット１０７と接続する場合、図２４に示すように、モバイルサーバ１０１は、電話網接続装置１０５から着信Ｍ４０２があると、予め登録されているインターネットアクセスポイント１０９に対して発信Ｍ４０３を行い、インターネットアクセスポイント１０９の応答後に、インターネット接続Ｍ４０４を行う。
【０１０８】
これに対し、モバイルサーバ１０１が電話網接続装置１０５を介してインターネット１０７と接続する場合、図２５に示すように、モバイルサーバ１０１は、電話網接続装置１０５から着信Ｍ４０２があると、電話網接続装置１０５に対して発信Ｍ１２０１を行い、電話網接続装置１０５を介してインターネット接続Ｍ４０４を行う。
【０１０９】
ここで、例えば図２３のホスト名・電話番号・ＩＰアドレス対応表において、ホスト名「server1.abcdefg.co.jp」の接続型サーバは、インターネット１０７と接続しており、「server2.abcdefg.co.jp」の接続型サーバは、インターネット１０７と接続していないとする。
【０１１０】
クライアントＰＣ１０６が、「server1.abcdefg.co.jp」のホスト名に対するＩＰアドレス取得要求Ｍ３０１を行うと、中継サーバ１０３は、ホスト・電話番号・ＩＰアドレス対応表１０４を参照し、ホスト名「server1.abcdefg.co.jp」に対するＩＰアドレス「123.456.789.012」の返答Ｍ３０２をクライアントＰＣ１０６に対して行う。
【０１１１】
クライアントＰＣ１０６が「server2.abcdefg.co,jp」のホスト名に対するＩＰアドレス取得要求Ｍ３０１を行うと、中継サーバ１０３は、ホスト・電話番号・ＩＰアドレス対応表１０４を参照し、ホスト名「server2.bcdefg.co.jp」に対するＩＰアドレス「123.456.789.013」の返答Ｍ３０２をクライアントＰＣ１０６に対して行った後、電話番号「09022222222」への発信要求Ｍ４０１を電話網接続装置１０５に対して行い、電話網接続装置１０５は、電話番号「09022222222」へ発信を行う。電話番号「09022222222」は、現在インターネット１０７と接続していないモバイルサーバ１０１の電話番号であり、モバイルサーバ１０１が着信を受けると、インターネット１０７と接続する。
【０１１２】
本実施の形態において、中継サーバ１０３による、モバイルサーバ１０１がインターネット１０７と接続しているか否かの判定方法としては、上記第１の実施の形態と同じ第一の判定方法、第二の判定方法および第三の判定方法がある。
【０１１３】
第二の判定方法としては、モバイルサーバ１０１がインターネットアクセスポイント１０９を介してインターネット１０７と接続している場合は、上記第３の実施の形態における第二の判定方法が、モバイルサーバ１０１が電話網接続装置１０５を介してインターネット１０７と接続している場合は、上記第４の実施の形態における第二の判定方法が用いられる。
【０１１４】
第三の判定方法としては、モバイルサーバ１０１がインターネットアクセスポイント１０９を介してインターネット１０７と接続している場合は、上記第３の実施の形態における第三の判定方法が、モバイルサーバ１０１が電話網接続装置１０５を介してインターネット１０７と接続している場合は、上記第４の実施の形態における第三の判定方法が用いられる。
【０１１５】
以上説明したように、本実施の形態は、上記第１〜４の実施の形態から、インターネットアクセスポイント１０９または電話網接続装置１０５におけるＩＰアドレス付与手段、および中継サーバ１０３がモバイルサーバ１０１、インターネットアクセスポイント１０９、電話網接続装置１０５からモバイルサーバ１０１のＩＰアドレスを取得する手段を除いたものとなる。
【０１１６】
そして、本実施の形態によれば、モバイルサーバ１０１のＩＰアドレスは固定ＩＰアドレスであるので、ＩＰアドレスを中継サーバ１０３に予め設定しておけば、中継サーバ１０３は、クライアントＰＣ１０６からＩＰアドレス取得要求Ｍ３０１を受けた場合に即座にＩＰアドレスの返答Ｍ３０２を行うことができ、上記第１〜第３の実施の形態において述べたＤＮＳ検索におけるタイムアウトの問題は発生しない。
【０１１７】
（第６の実施の形態）
次に、本発明の第６の実施の形態について図２７を参照しながら説明する。図２７は本発明の第６の実施の形態で用いられるホスト名・電話番号・ＩＰアドレス対応表の一例を示す図である。
【０１１８】
上記第５の実施の形態においては、モバイルサーバ１０１のＩＰアドレスが固定アドレスであった場合を説明したが、本実施の形態においては、モバイルサーバ１０１のＩＰアドレスがインターネットアクセスポイント１０９または電話網接続装置１０５により割り振られている場合と固定されている場合とが混在する場合を説明する。
【０１１９】
このような場合、ホスト名・電話番号・ＩＰアドレス対応表１０４としては、例えば図２７に示すホスト名・電話番号・ＩＰアドレス対応表が用いられる。本例では、ＩＰアドレスが固定アドレスであるか、動的アドレスであるかを区別するために、ホスト名に対応するモバイルサーバ１０１が固定ＩＰアドレスを有する場合は「固定」、ＩＰアドレスがインターネットアクセスポイント１０９または電話網接続装置１０５により割り振られる場合は「動的」と記述される。
【０１２０】
本実施の形態において、中継サーバ１０３がクライアントＰＣ１０６からＩＰアドレス取得要求を受信した場合、中継サーバ１０３は、図２７に示されるホスト名・電話番号・ＩＰアドレス対応表を参照し、指定されたホスト名が固定のＩＰアドレスの場合は、上記第５の実施の形態と同様の動作を行い、指定されたホスト名が動的なＩＰアドレス、すなわちＩＰアドレスがインターネットアクセスポイント１０９または電話網接続装置１０５から割り当てられる場合は、上記第１〜第４の実施の形態と同様の動作を行う。
【０１２１】
このように、固定ＩＰアドレスを有するモバイルサーバ１０１とインターネットアクセスポイント１０９または電話網接続装置１０５により割り振られるＩＰアドレスを有するモバイルサーバ１０１が混在する場合においても、上記第１〜第５の実施の形態と同様の効果を得ることができる。
【図面の簡単な説明】
【０１２２】
【図１】本発明の第１の実施の形態に係るサーバシステムの構成を示すブロック図である。
【図２】図１の中継サーバに保持されているホスト名・電話番号・ＩＰアドレス対応表の一例を示す図である。
【図３】中継サーバがクライアントＰＣからホスト名に対応するＩＰアドレス取得要求を受信した場合で、そのホスト名に対応するモバイルサーバがインターネットと接続されている場合における、モバイルサーバ、インターネットアクセスポイント、電話網接続装置、中継サーバ、クライアントＰＣのそれぞれの動作を示すシーケンス図である。
【図４】中継サーバがクライアントＰＣからホスト名に対応するＩＰアドレス取得要求を受信した場合で、そのホスト名に対応するモバイルサーバがインターネットと接続されていない場合における、モバイルサーバ、インターネットアクセスポイント、電話網接続装置、中継サーバ、クライアントＰＣのそれぞれの動作を示すシーケンス図である。
【図５】中継サーバの動作の手順を示すフローチャートである。
【図６】モバイルサーバの動作の手順を示すフローチャートである。
【図７】ＤＮＳの仕組みを用いてクライアントＰＣがモバイルサーバのホスト名「server1.abcdefg.co.jp」からＩＰアドレスを得る場合のシーケンス図である。
【図８】第一の判定方法を実施した場合のモバイルサーバ、インターネットアクセスポイント、電話網接続装置、中継サーバ、クライアントＰＣのそれぞれの動作を示すシーケンス図である。
【図９】第１の判定方法において中継サーバからモバイルサーバに対してポーリングを行う場合のシーケンスを示す図である。
【図１０】第三の判定方法を実施した場合のモバイルサーバ、インターネットアクセスポイント、電話網接続装置、中継サーバ、クライアントＰＣのそれぞれの動作を示すシーケンス図である。
【図１１】本発明の第２の実施の形態に係るサーバシステムにおけるモバイルサーバが電話網接続装置からの着信に応答してインターネットと接続する場合のモバイルサーバ、電話網接続装置、中継サーバ、クライアントＰＣのそれぞれの動作を示すシーケンス図である。
【図１２】本発明の第２の実施の形態においてモバイルサーバが電話網接続装置から着信があった場合に電話網接続装置に発信を行ってインターネットと接続する場合のモバイルサーバ、電話網接続装置、中継サーバ、クライアントＰＣのそれぞれの動作を示すシーケンス図である。
【図１３】本発明の第２の実施の形態において、モバイルサーバがインターネットと接続されているか否かを判定する方法として、第三の判定方法を実施した場合のモバイルサーバ、電話網接続装置、中継サーバ、クライアントＰＣのそれぞれの動作を示すシーケンス図である。
【図１４】本発明の第３の実施の形態において中継サーバがクライアントＰＣからのホスト名に対応するＩＰアドレス取得要求を受信した場合でそのホスト名に対応するモバイルサーバがインターネットと接続していない場合のモバイルサーバ、インターネットアクセスポイント、電話網接続装置、中継サーバ、クライアントＰＣのそれぞれにおける動作を示すシーケンス図である。
【図１５】本発明の第３の実施の形態における中継サーバの動作を示すフローチャートである。
【図１６】本発明の第３の実施の形態におけるモバイルサーバの動作を示すフローチャートである。
【図１７】第三の判定方法を実施した場合におけるモバイルサーバ、インターネットアクセスポイント、電話網接続装置、中継サーバ、クライアントＰＣのそれぞれの動作を示すシーケンス図である。
【図１８】本発明の第４の実施の形態において中継サーバがクライアントＰＣからホスト名に対応するＩＰアドレス取得要求を受信した場合でそのホスト名に対応するモバイルサーバがインターネットに接続していない場合のモバイルサーバ、電話網接続装置、中継サーバ、クライアントＰＣのそれぞれの動作を示すシーケンス図である。
【図１９】本発明の第４の実施の形態における中継サーバの動作の手順を示すフローチャートである。
【図２０】本発明の第４の実施の形態における電話網接続装置の動作の手順を示すフローチャートである。
【図２１】本発明の第４の実施の形態におけるモバイルサーバの動作の手順を示すフローチャートである。
【図２２】本発明の第４の実施の形態におけるモバイルサーバが電話網接続装置からの着信により、電話網接続装置に発信を行ってインターネットと接続する場合のモバイルサーバ、電話網接続装置、中継サーバ、クライアントＰＣのそれぞれの動作を示すシーケンス図である。
【図２３】本発明の第５の実施の形態におけるホスト名・電話番号・ＩＰアドレス対応表の一例を示す図である。
【図２４】本発明の第５の実施の形態においてモバイルサーバがインターネットアクセスポイントを介してインターネットと接続する場合のモバイルサーバ、インターネットアクセスポイント、電話網接続装置、中継サーバ、クライアントＰＣのそれぞれの動作を示すシーケンス図である。
【図２５】本発明の第５の実施の形態においてモバイルサーバが電話網接続装置を介してインターネットと接続する場合のモバイルサーバ、電話網接続装置、中継サーバ、クライアントＰＣのそれぞれの動作を示すシーケンス図である。
【図２６】本発明の第５の実施の形態における中継サーバの動作の手順を示すフローチャートである。
【図２７】本発明の第６の実施の形態で用いられるホスト名・電話番号・ＩＰアドレス対応表の一例を示す図である。
【図２８】クライアントＰＣがホスト名「www.abcdefg.co.jp」からＩＰアドレスを取得する場合のシーケンスを示す図である。
【図２９】モバイルサーバを用いてＷｅｂを公開する場合のシステムの構成例を示す図である。
【符号の説明】
【０１２３】
１０１  モバイルサーバ
１０３  中継サーバ
１０４  ホスト名・電話番号・ＩＰアドレスの対応表
１０５  電話網接続装置
１０６  クライアントＰＣ
１０７  インターネット
１０８  公衆電話網
１０９  インターネットアクセスポイント
【図１】
2006014188.tif 000003
【図２】
2006014188.tif 000004
【図３】
2006014188.tif 000005
【図４】
2006014188.tif 000006
【図５】
2006014188.tif 000007
【図６】
2006014188.tif 000008
【図７】
2006014188.tif 000009
【図８】
2006014188.tif 000010
【図９】
2006014188.tif 000011
【図１０】
2006014188.tif 000012
【図１１】
2006014188.tif 000013
【図１２】
2006014188.tif 000014
【図１３】
2006014188.tif 000015
【図１４】
2006014188.tif 000016
【図１５】
2006014188.tif 000017
【図１６】
2006014188.tif 000018
【図１７】
2006014188.tif 000019
【図１８】
2006014188.tif 000020
【図１９】
2006014188.tif 000021
【図２０】
2006014188.tif 000022
【図２１】
2006014188.tif 000023
【図２２】
2006014188.tif 000024
【図２３】
2006014188.tif 000025
【図２４】
2006014188.tif 000026
【図２５】
2006014188.tif 000027
【図２６】
2006014188.tif 000028
【図２７】
2006014188.tif 000029
【図２８】
2006014188.tif 000030
【図２９】
2006014188.tif 000031